(57)【特許請求の範囲】
【請求項１】
表紙と本文用紙とを綴り合わせて構成される冊子であって、
前記表紙が、非接触型情報媒体と、該非接触型情報媒体の一方の面に接着層を介して接着された内貼り用紙と、前記非接触型情報媒体の他方の面と接着層を介して接着された表紙用部材とを具備し、前記非接触型情報媒体は、２枚の基材の内側にそれぞれ、保護層が設けられ、２枚の基材の内側に印刷層と、ＩＣインレットと、該ＩＣインレットを２枚の基材の内側に接着する接着層を有し、前記印刷層は前記表紙の側面に露出し、該印刷層の露出部分には特定波長の光を照射することで、機械で読み取り可能となる不可視情報が書き込まれており、前記ＩＣインレットのＩＣチップ内の情報と、前記不可視情報を照らし合わせることによって、真贋判定が可能であることを特徴とする非接触型情報媒体付冊子。
【請求項２】
前記２枚の基材が多孔質熱可塑性シートであることを特徴とする請求項１に記載の非接触型情報媒体付冊子。
【請求項３】
前記不可視情報が暗号化された情報であることを特徴とする請求項１または２に記載の非接触型情報媒体付冊子。
【請求項４】
前記不可視情報を印刷する色材が、可視光領域では不可視であるが特定の光を照射すると前記色材が励起され、発光または反射光を発し、機械で読み取り可能となることを特徴とする、請求項１から３のいずれか１項に記載の非接触型情報媒体付冊子。
【請求項５】
前記ＩＣインレットに含まれるＩＣチップ内に、前記不可視情報と紐付けられた情報が組み込まれており、前記不可視情報とＩＣチップ内の情報が対になることで、真贋判定が可能となることを特徴とする、請求項１から４のいずれか１項に記載の非接触型情報媒体付冊子。
【発明の詳細な説明】
【技術分野】
【０００１】
本発明は、非接触型情報媒体付冊子に関するものである。
【背景技術】
【０００２】
近年、非接触ＩＣ・カードや非接触ＩＣタグを用いたシステムが普及する中、例えばパスポートや預貯金通帳等冊子に非接触ＩＣモジュールとそれに接続されたアンテナからなるＩＣインレットを外装基材で挟み込んで非接触型情報媒体とし、この非接触型情報媒体とカバークロスなどを用いた表紙用部材とを貼り合わせた上で、内貼り用紙と本文用紙を取り付けて装丁した、電子データの記入や印字が可能な非接触型情報媒体付冊子が開発され公知となっている。
【０００３】
非接触型情報媒体付冊子の一事例として、第１の基材の上面側に、所定の広さの開口部を有する第２の基材が接着されて凹部が形成され、この凹部内にＩＣ・チップとこれに接続されたコイルアンテナが備えられ、前記第１の基材シートの下面側に接着層が設けられている非接触型情報媒体と、この非接触型情報媒体が裏表紙の内面に貼付されてなる非接触型情報媒体付冊子がある（例えば、特許文献１参照）。
【０００４】
一般に流通しているクレジットカードやＩＣカードは、熱可塑性の基材、例えばポリ塩化ビニル（ＰＶＣ）やＰＥＴ−Ｇ（テレフタル酸とエチレングリコールにより生産されるポリエステル樹脂にエチレングリコールの一定含有量をシクロヘキサンジメタノールに置き換えた変性ポリエステル樹脂）などの基材の間にＩＣおよびアンテナ等を挟みこみ、強い熱圧をかけることで基材を流動させて平滑にして得られた非接触型情報媒体を上記冊子の表又は裏の表紙と内貼り用紙の間に接着することで非接触型情報媒体付冊子を作成することができる。
【０００５】
また、クレッジットカードやＩＣカードだけでなく、銀行券や有価証券などの印刷物や運転免許証やパスポートなどの証明物は不正に利用する者から未然に偽造や変造を防ぐ必要がある。しかし、非接触型情報媒体付冊子の１つである電子パスポートを例に取ると、多くの偽造と変造が報告されており、それらの偽変造を防止するため、冊子に偽変造防止機能を付加させることが要求されている。
【０００６】
冊子の偽造を防止するためには一般的に用いられている偽造防止技術を使用することができ、例えば見る角度によって色が変化するインキ（ＯＶＩ）や、紫外線ライトに反応するＵＶ蛍光インキなどを印刷したり、用紙自体に特殊な蛍光を発する糸を漉き込んだり、セキュリティスレッドを挿入したりすることも行なわれている。
【０００７】
また、近年では機械検知によって偽変造を判別するため、例えば特殊な波長で吸収ピークを持つ赤外吸収インキなどを印刷することなども行なわれている（例えば、特許文献２、３）。
【０００８】
さらに、個人認証が必要なパスポートを例に取ると、名前や顔写真などの個人情報の変造を防止するために、データページに例えばホログラムフィルムのラミネートが施されていたり、レーザーエングレービングによって個人情報を記録したりして、目視でも個体認識ができるようになっている。
【０００９】
また、ＩＣパスポートやＩＣカードのようにＩＣチップが組み込まれているものや磁気カードのように磁気スレッドがあるものは、それぞれＩＣチップや磁気スレッド内に予め
不可視情報を入力することもできる（例えば、特許文献４）。
【００１０】
公知文献を以下に示す。
【先行技術文献】
【特許文献】
【００１１】
【特許文献１】特開２００２−４２０６８号公報
【特許文献２】特開２０００−６５１２号公報
【特許文献３】特開２００６−２４４０９７号公報
【特許文献４】特開２００７−２６１１１４号公報
【発明の概要】
【発明が解決しようとする課題】
【００１２】
本発明は、かかる従来技術の問題点を解決するものであり、ＩＣチップとコイルアンテナからなるＩＣインレットを、保護層を塗布した多孔質基材の間に挟み込んで非接触型情報媒体とし、この非接触型情報媒体を表表紙または裏表紙に接着された非接触型情報媒体付冊子において、表紙や用紙との接着性にすぐれ、かつ耐久性、耐偽変造性、耐水性、耐イオン性などに優れた非接触型情報媒体付冊子が求められ、特に偽変造が困難なセキュリティを施すことが要請されている。
【００１３】
また、ＩＣカードに代表されるような非接触型情報媒体は、個人認証が必要な商材が多いが、偽変造を行い所有者になりすまして不正に使用する者の後が絶たない。認証確認を行う者も見極め方の方法を鍛錬されているとは限らないため、セキュリティ性を向上させつつも、正確かつ簡便に真贋判定を行うことが求められている。
【００１４】
さらに、従来技術では、偽造が容易に行われてしまったり、偽装の痕跡が残りにくかったり、真贋判定を行うことが困難であるという問題があった。このような状況に対して、上で述べたような従来の偽変造防止技術は基本的には紙幣や有価証券、パスポート冊子など、紙をベースとした印刷物の偽変造を防止するものであり、上記のように非接触型情報媒体を取り代えたりするような変造には効果が少ない。
【００１５】
本発明は上記した事情に鑑みてなされたもので、偽変造を防止するとともにこのような偽造品を容易に判断でき、かつ、セキュリティ性の高い非接触型情報媒体付冊子を提供することを課題としている。
【課題を解決するための手段】
【００１６】
本発明の請求項１に係る発明は、表紙と本文用紙とを綴り合わせて構成される冊子であって、前記表紙が、非接触型情報媒体と、該非接触型情報媒体の一方の面に接着層を介して接着された内貼り用紙と、前記非接触型情報媒体の他方の面と接着層を介して接着された表紙用部材とを具備し、前記非接触型情報媒体は、２枚の基材の内側にそれぞれ、保護層が設けられ、２枚の基材の内側に印刷層と、ＩＣインレットと、該ＩＣインレットを２枚の基材の内側に接着する接着層を有し、前記印刷層は前記表紙の側面に露出し、該印刷層の露出部分には特定波長の光を照射することで、機械で読み取り可能となる不可視情報が書き込まれており、前記ＩＣインレットのＩＣチップ内の情報と、前記不可視情報を照らし合わせることによって、真贋判定が可能であることを特徴とする非接触型情報媒体付冊子である。
【００１７】
本発明の請求項２に係る発明は、前記２枚の基材が多孔質熱可塑性シートであることを特徴とする請求項１に記載の非接触型情報媒体付冊子である。
【００１８】
本発明の請求項３に係る発明は、前記不可視情報が暗号化された情報であることを特徴とする請求項１または２に記載の非接触型情報媒体付冊子である。
【００１９】
本発明の請求項４に係る発明は、前記不可視情報を印刷する色材が、可視光領域では不可視であるが特定の光を照射すると前記色材が励起され、発光または反射光を発し、機械で読み取り可能となることを特徴とする、請求項１から３のいずれか１項に記載の非接触型情報媒体付冊子である。
【００２０】
本発明の請求項５に係る発明は、前記ＩＣインレットに含まれるＩＣチップ内に、前記不可視情報と紐付けられた情報が組み込まれており、前記不可視情報とＩＣチップ内の情報が対になることで、真贋判定が可能となることを特徴とする、請求項１から４のいずれか１項に記載の非接触型情報媒体付冊子である。
【発明の効果】
【００２１】
本発明は以上の構成であるから、下記に示す如き効果がある。
【００２２】
請求項１に係る発明によれば、ＩＣインレットを備えた非接触型情報媒体を具備した表紙の冊子で、非接触型情報媒体に設けた印刷層非接触型情報媒体の側面に露出していて、印刷層に設けた特定波長の光を照射することで、機械で読み取り可能となる不可視情報を冊子状のままでも側面から機械読み取りが出来るので、ＩＣインレットのＩＣチップ内の情報と、不可視情報とを照らし合わせて、真贋判定をすることができる。また、非接触型非接触型情報媒体付冊子を製品形態に断裁する際に、側面となる部分に印刷層を容易に露出させることができ。冊子状態のまま機械読み取りが可能である
請求項２に係る発明によれば、基材として、多孔質熱可塑性基材シートを用いることで、様々なタイプの接着剤と良好な密着性を示し、かつ、凹凸が無く、柔軟な非接触型情報媒体付冊子を作成することができる。
【００２３】
また、非接触型情報媒体に設ける印刷層は、非接触型情報媒体のいずれの層間にも設けることができ、保護層の一部や接着層の一部として組み込むことも可能であるため、多孔質熱可塑性シートの間に積層され、外部からのダメージも軽減出来るため、印刷層に耐久性を付加させることが可能になるとともに、前記保護層や接着層を塗布することで非接触型情報媒体を製造するにあたり印刷層も同じ工程内で塗布することが可能であり、加工適性かつ作業性に優れた非接触媒体を作製することができる。
【００２４】
請求項３に係る発明によれば、不可視情報が暗号化された情報であるので、側面から見て長短の直線が並び、バーコードのような暗号化した不可視情報を記録することで、偽変造を未然に防ぐことや印刷の改ざんを困難にすることができる。
【００２５】
請求項４に係る発明によれば、不可視情報を印刷する色材が、可視光領域では不可視であるので目視で外部から見たときには着色されていない様に見えるため偽造する者に気づかれることはなく偽造防止機能を設けることができる。さらに、セキュリティ性を向上させるために不可視情報を印刷する色材は、可視光下では不可視だが、紫外領域または赤外領域の光を照射することで励起され、赤外領域に発光または反射光を伴う色材であれば種類は問わないので、偽造する者に照射する光の領域が特定されにくい。
【００２６】
請求項５に係る発明によれば、ＩＣインレットに含まれるＩＣチップに、不可視情報と紐付け、関連付けられた情報を予め記録させておくので、非接触型情報媒体付冊子を機械によって読み取った場合に初めてＩＣチップの紐付けられる情報と不可視情報がリンクするため、冊子の個体認証の高いセキュリティ性を保持しつつ、簡便かつ迅速に偽変造品の真贋判定を行うことができる。
【図面の簡単な説明】
【００２７】
【図１】本発明の一実施の形態に係る非接触型情報媒体付冊子を説明するために示した斜視図である。
【図２】本発明の一実施の形態に係る非接触型情報媒体付冊子の非接触型情報媒体を説明するために示した断面図である。
【図３】本発明の一実施の形態に係る非接触型情報媒体付冊子の表紙を説明するために示した断面図である。
【図４】本発明の一実施の形態に係る非接触型情報媒体付冊子の印刷層の不可視情報を読み取るための装置の概略図である。
【発明を実施するための形態】
【００２８】
以下、本発明の実施の形態に係る非接触型情報媒体付冊子について図面を参照して詳細に説明する。
【００２９】
図１は、本発明の一実施の形態に係る非接触型情報媒体付冊子１００を示すもので、表紙用部材１と、その内面に貼着する内貼り用紙２との間に、非接触型情報媒体３を挟み込んで接着され形成された表紙と、これに複数の本文用紙４が加えられて構成されている。
【００３０】
この非接触型情報媒体の一部であるＩＣインレット５は、図２に示すように、アンテナシート６とアンテナコイル７とＩＣチップ８とから構成されていて、アンテナシート６上にエッチング方式やワイヤボンディング方式、印刷アンテナ方式などによってアンテナコイル７が形成され、このアンテナコイル７に、ＩＣチップ８が溶接方式などによって接続されている。
【００３１】
このＩＣインレット５は、２枚の基材９の間に配置されている。２枚の基材９の内面には、水分および各種イオンの透過を抑制する層である保護層１０が設けられ、さらに、２枚の基材９を貼りあわせるための層である接着層１２を積層させて熱圧着することで非接触型情報媒体３を作製している。本実施の形態では、不可視の情報を保持させるための層である印刷層１１は、上側の基材９の保護層１０に設けられている。
【００３２】
保護層１０、印刷層１１および接着層１２は塗布によって設けることができるので、1つのラインで連続して塗布することで、作業工程を簡潔にすることができる。
【００３３】
また、アンテナシート６、アンテナコイル７、ＩＣチップ８からなるＩＣインレット５は、ＩＣチップ８自身の厚みや、アンテナコイル７の厚み、ジャンパ線とアンテナコイル７の接合部や、アンテナシート６自体の厚みなどにより、凹凸のあるシートとなっている。
【００３４】
このＩＣインレット５を基材９の間に挟んで非接触型情報媒体３に加工する際、外観上はこれらの凹凸を無くすことが望ましい。そのため、下側の基材９にＩＣチップ８を収納する穴８´を設け、ＩＣチップ８が収まるようにしている。さらに接着層１２の接着時の流動性によって非接触型情報媒体３を平坦にしている。また、ＩＣチップ８内には、印刷層１１で形成した暗号化された不可視情報と紐付けられる情報が記録されている。
【００３５】
そして、図３のように、接着剤層１３を介して、非接触型情報媒体３のおもて面と裏面に、接着剤層１３を介して、それぞれ、表紙用部材１と、内貼り用紙２を接着させて、非接触型情報媒体付冊子１００の表紙１０１を作成している。実際の作業としては、内貼り用紙２に本文用紙４を取り付けてから、表紙用部材１が接着された非接触型情報媒体３に接着剤層１３を介して、内貼り用紙２を接着しても良い。
【００３６】
基材９としては、例えば、ポリ塩化ビニル（ＰＶＣ）やＰＥＴ−Ｇ（テレフタル酸とエチレングリコールにより生産されるポリエステル樹脂にエチレングリコールの一定含有量をシクロヘキサンジメタノールに置き換えた変性ポリエステル樹脂）、ポリエチレンやポリスチレンなどのポリオレフィン、ポリエステル、ポリカーボネートなどの平滑なシートだけではなく、これらの樹脂を単体または組み合わせて使用し、シリカなどの多孔質粒子を混合したり、混合時に空気などの気体を入れて発泡したり、延伸後に穿孔加工したりすることで、孔やくぼみを前記樹脂のシート内に加工した多孔質熱可塑性シートを使用することが出来る。
【００３７】
このような多孔質熱可塑性シートは、一般にインクジェットやオフセットなどに対する印刷適性を付与した樹脂シート又は合成紙として市販されている。
【００３８】
基材９に多孔質熱可塑性シートを使用することで柔軟性のある非接触型情報媒体３を形成することが可能となり、また、接着剤１２と良好な密着性を得ることが出来るため加工性に優れている。
【００３９】
基材９に多孔質熱可塑性シートを使用する場合、図２に示すように２枚の基材９のそれぞれ内側にあたる部分に、あらかじめ熱可塑性の保護層１０、印刷層１１および接着層１２を塗布し、熱圧をかけることで接着させ、非接触型情報媒体３を得る。
【００４０】
ここで保護層１０や印刷層１１に使用可能な熱可塑性の材料は、エチレン‐酢酸ビニル共重合体系、エチレン‐メタクリル酸共重合体系、ポリエステル系、アクリル系、ナイロン系、ポリアミド系、ポリウレタン系、ポリオレフィン系など、一般的な各種熱可塑性の樹脂を使用することができる。
【００４１】
これらの中でも、特に水分に強く、酸素や塩化物イオンの透過を抑制するような塗膜を形成する樹脂、また熱や湿度により劣化し接着部分に剥がれを生じないものを使用する。これらの性能を両立させるために２種類以上の樹脂を混合して使用することも可能である。
【００４２】
また、上記の樹脂を使用してエマルジョンやディスパージョンにした水系のヒートシール剤を用いる場合には、それらのヒートシール剤自体がアンテナ等に悪影響を与えないかについても注意が必要である。
【００４３】
また、接着層１２の材料には加工工程や作業性の面から、塗工が容易で、乾燥後のブロッキングが生じにくく、耐久性の高いものが使用に適する。例えば、エチレン‐メタクリル酸共重合体系の水系エマルジョン接着剤にエポキシ系架橋剤を添加したものや、ポリオレフィン系、アクリル系の接着剤などをグラビア方式、オフセット方式、インクジェット方式などで用途に応じて好適な性能を得ることができる。
【００４４】
一方、一般的にポリエステル系の接着剤は湿度による加水分解が生じる可能性があり、エチレン‐酢酸ビニル共重合体系接着剤は経時劣化し易いので注意が必要である。
【００４５】
保護層１０、印刷層１１、接着層１２の塗工方式を合わせることで、インラインで塗工することができるため、加工する時の作業効率を向上させることもできる。
【００４６】
また、側面印刷とは異なり、印刷層１１の厚みを変化させることが自由に設定でき、機械読み取りが可能な厚みまで薄くすることで、偽変造をし難くする効果を出すこともできる。
【００４７】
また、保護層１０や接着層１２の塗工工程の中で印刷層１１を設けることで、側面の凹凸は無く、積層された内部に設けることが可能であり、側面印刷のように後から印刷を施した場合と区別ができる。
印刷層１１は、基材９と保護層１０の間、保護層間１０、保護層１０と接着層１２の間、接着層１２上のいずれの箇所に設けることが可能である。耐性を重視する場合は、保護層１０と保護層１０の間もしくは保護層１０と接着層１２の間に印刷層１１を設け、外部からの影響を軽減させることもできる。
【００４８】
印刷層１１の色材には、セキュリティ性の要求されるため、可視光下では無色の不可視の色材を用いた不可視インキを用いることが必要で、紫外線または赤外線などの特定波長の光を照射することで不可視インキが励起され、可視または赤外領域での発光または吸収を伴うものであれば良い。
【００４９】
さらに、よりセキュリティ性を向上させるためには、不可視インキに特定波長を照射して励起された後も赤外領域の発光または吸収を伴い、外部からは確認されず、機械認識のみで判断できるような色材が望ましい。
【００５０】
例えば、硫化物系、シアニン系、フタロシアニン系、ナフタロシアニン系などが挙げられる。また、これらを母体として賦活剤として硫化カルシウムにサマリウムおよびユーロピウムを加えたものやアルカリ土類硫化物に活性化剤としてビスマスおよびサマリウムを加えたものなどでも良い。また、耐性面を考慮すると染料よりも顔料の方が好適であるため、用途に応じて色材を選ぶ必要がある。
【００５１】
また、非接触型情報媒体付冊子１００は、この非接触型情報媒体３を表紙用部材１と内貼り用紙２との間に挟み込んで接着して表紙１０１とし、本文用紙４と合わせて製本して冊子形状に加工されたものである。
【００５２】
非接触型情報媒体３は内貼り用紙２と接着剤層１３によって接着されるが、ここで用いる接着剤は作業性や環境の側面からも水系のエマルジョン接着剤を使用する場合が多く、また、実際にはこれまで冊子を製造してきた設備を使用することも多いので、布と紙の貼り合わせ用としての接着剤が選ばれてきた。
【００５３】
仮に非接触型情報媒体付冊子１００に使用する非接触型情報媒体３を、一般のＩＣカードに使われるような外装基材、例えばＰＶＣやＰＥＴ−Ｇを使用して作成した場合、既存の設備および接着剤で内貼り用紙２を接着することはできない上、剛度が高いことによる問題が生じる。
【００５４】
このような問題を解決するため、多孔質熱可塑性基材シートを基材９として使用することで、様々なタイプの接着剤と良好な密着性を示し、かつ、凹凸が無く、柔軟な非接触型情報媒体付冊子１００を作成することができる。
【００５５】
非接触型情報媒体３と、表紙用部材１あるいは内貼り用紙２を接着する接着剤層１３には、体積変化の無い反応硬化型の接着剤を好適に用いることが出来る。仮に体積変化のある乾燥硬化型の接着剤を使用した場合、非接触型情報媒体３の一部が凹んでいたとすると接着剤の使用量が多くなるため乾燥時の体積減少が大きくなり、表紙用部材１の外側に凹みが生じてしまうため外観上の問題となる。
【００５６】
このような問題を解決するために体積変化の無い接着剤を使用することが望ましく、例えば、２液混合型エポキシ系接着剤、湿気硬化型シリコン系接着剤、１液硬化型ウレタン
系接着剤、などが使用できる。また、エチレン‐酢酸ビニル共重合体系、エチレン‐メタクリル酸共重合体系、ポリエステル系、ポリアミド系、ポリウレタン系、ポリオレフィン系など、各種のホットメルト接着剤なども使用可能である。
【００５７】
図４は、本発明の一実施の形態に係る非接触型情報媒体付冊子１００の印刷層１１の不可視情報を読み取るための装置の概略図である。
【００５８】
非接触型情報媒体付冊子１００の表紙１０１に設けられた非接触型情報媒体３の不可視情報の読み取り装置１４は、印刷層１１に用いた不可視のインキを励起させる波長を有する光源を搭載しており、励起後の発光または反射光に伴い生じたコントラストを受光して読み取ることで暗号化された不可視情報を読み取ることができる。この印刷層１１だけでも用途に合った情報を組み込むことができるため、セキュリティ性を持たせることができる。
【００５９】
さらに、セキュリティ性が重要なものに対する偽変造品を考慮して、事前に読み取っておいたＩＣチップ８内の内容と照らし合わせて、所有者の真偽を確認すると共に、読み取った暗号化データとＩＣチップ８内に予め記録させてある情報を結び合わせて対になる情報かどうかの判定を行うような２段階でのセキュリティ性を付与させることも可能であり、印刷層１１の不可視情報とＩＣチップ８内の情報を紐付けることで認証でき、偽変造がより困難な非接触型情報媒体付冊子１００とすることが可能となる。
【００６０】
読み取り装置１４の形態はペン型、スロット型、レーザー型、定置読み取り型など設置場所、用途に応じて読み取り装置１４の形態を選択することができる。なお、ＩＣチップ８内の読み取った情報と印刷層１１の暗号化された不可視情報は管理されたコンピューター１５上で照合が行われる。
【００６１】
印刷層１１を形成しているインキ自体にもセキュリティ性を持たせているが、機械検知による真贋判定も側面の情報も固有の情報とすることでセキュリティ性は向上させられるが、搭載されているＩＣチップ８を利用し、さらに、印刷層１１を不可視の情報かつＩＣチップ８内の情報と紐付けることで真贋判定を行うように段階の工程を施すことで、偽変造を困難にし、よりセキュリティ性の高い非接触型情報媒体付冊子１００を作製することができる。
【実施例】
【００６２】
以下に、本発明の具体的実施例について説明する。
【００６３】
＜実施例１＞
ＩＣインレット５の作製：ポリエチレンテレフタレートシートをアンテナシート６とし、その表面にアンテナコイル７と裏面にジャンパ線を形成し、アンテナコイル７とジャンパ線を接合した一般的なシートを用意した。アンテナコイル７の接続端子部に接続されているＩＣチップ８に予め暗号化された印刷層１１の情報と紐付けられる情報を記録させてＩＣインレット５を得た。
【００６４】
非接触型情報媒体３の作製：基材９として、多孔質熱可塑性シートを準備し、このシートの片面にスクリーン印刷機を用いて、保護層１０として熱可塑性飽和共重合ポリエステル樹脂を主成分とするユニチカ株式会社製「エリーテルＫＡ−５０３４」を１０μｍ塗布して１３５℃オーブンに入れ乾燥させた。
【００６５】
図２の上側となる基材９の保護層１０面には、印刷層１１として蛍光体である硫化カルシウム系蛍光体を２５重量部添加したユニチカ株式会社製「エリーテルＫＡ−５０３４」
を、塗工の必要のない部分をマスクしてパターン印刷を行い、３μｍの厚みを塗布して１３５℃オーブンに入れ乾燥させ、特定波長の光を照射することで、機械で読み取り可能となる不可視情報が書き込まれた印刷層１１を設けた。
【００６６】
その上に接着層１２として同じく熱可塑性飽和共重合ポリエステル樹脂を主成分とするユニチカ株式会社製「エリーテルＫＴ−８８０３」を３μｍ塗布し、１３５℃オーブンに入れ乾燥させた。
【００６７】
また、図２の下側となる基材９の保護層１０として、ユニチカ株式会社製「エリーテルＫＡ−５０３４」を、１０μｍの厚みで塗布して１３５℃オーブンに入れ乾燥させた。その上に接着層１２として同じく熱可塑性飽和共重合ポリエステル樹脂を主成分とするユニチカ株式会社製「エリーテルＫＴ−８８０３」を３μｍ塗布し、１３５℃オーブンに入れ乾燥させた。また、ＩＣチップ８を収納する穴８´を設けた。
【００６８】
次に、図２のように、上記で準備したＩＣインレット５を基材９の多孔質熱可塑性シート２枚で挟み込み、１１０℃以上、１６０℃以下に加熱しながら、５Ｋｇｆ／ｃｍ２以上、３０Ｋｇｆ／ｃｍ２以下の圧力の間で調整し、接着させ、その後エージングをして非接触型情報媒体３を得た。
【００６９】
非接触型情報媒体３と表紙用部材１の貼り合わせ：接着剤層１３となるホットメルトを１００℃以上、１５０℃以下に設定したホットロールコーターで溶融させ、表紙用部材１上に塗工した。接着剤層１３が塗工された表紙用部材１に非接触型情報媒体３を、０．２Ｋｇｆ／ｃｍ２以上、２Ｋｇｆ／ｃｍ２以下の圧力のかかるローラーで接着させた後、固化するまでエージングをした。
【００７０】
非接触型情報媒体付冊子１００の作製：複数枚の本文用紙４と一枚の内貼り用紙２を丁合いし、中央をミシンで縫うことで内貼り用紙２が最外部に取り付けられた本文用紙４を作成した。上記で得られた、表紙用部材１が接着された非接触型情報媒体３の非接触型情報媒体３面に接着剤層１３となるホットメルトを塗工し、前記の内貼り用紙２の外側と接着した。
【００７１】
得られた冊子を広げた状態で、印刷層１１が非接触型情報媒体３の側面に露出するように非接型情報媒体サイズに断裁し、不可視の暗号化された印刷層１１の情報とその情報と紐付けられる情報を記録したＩＣチップ８を搭載した実施例１の非接触型情報媒体付冊子１００を得た。
【００７２】
以下に、本発明の比較例について説明する。
【００７３】
＜比較例１＞
特定波長の光を照射することで、機械で読み取り可能となる不可視情報が書き込まれた印刷層１１を設けなかった以外は、実施例１と同様にして、比較例１の非接触型情報媒体付冊子を得た。
【００７４】
＜比較例２＞
ＩＣチップ８に暗号化された印刷層１１の情報と紐付けられる情報を記録させずにＩＣインレット５を得た以外は、実施例１と同様にして、比較例２の非接触型情報媒体付冊子を得た。
【００７５】
以下に、実施例と比較例との比較結果について説明する。
【００７６】
＜比較結果＞
実施例１と比較例１において、非接触型情報媒体付冊子の側面を目視で観察したところ、外観に大きな違いはなかった。また、ＩＣチップ８の情報を読み込ませるとどちらも解読が不能な情報が組み込まれていた。
【００７７】
次に、非接触型情報媒体付冊子の側面を、特定波長の光を照射し不可視情報を読み取る読み取り装置１４により読み込ませると、実施例１は印刷層１１に書き込まれた不可視情報にＩＣチップ８の情報が結び合い、暗号が解読され、個体認証がなされ真贋判定ができた。一方、比較例１は不可視情報の読み取り反応がなく、ＩＣチップ８の情報と結び合わせることができなかった。
【００７８】
これらのことから、実施例１は、外観変化をほとんど伴うことなく、非接触型情報媒体の側面に露出した印刷層１１に、特定波長の光を照射することで、機械で読み取り可能となる不可視情報を組み込まれ、ＩＣチップ８内の前記不可視情報と紐付けられた情報とを照らし合わせることによって、セキュリティを施すことができ、さらには簡便に偽造品との真贋判定が可能であった。
【００７９】
実施例１と比較例２において、非接触型情報媒体付冊子の側面を目視で観察したところ、外観に違いはなかった。また、ＩＣチップ８の情報を読み込ませると、印刷層１１の情報と紐付けられる情報が組み込まれていたのに対して、比較例２は印刷層１１の情報と紐付けられる情報が組み込まれていなかった。
【００８０】
次に、非接触型情報媒体付冊子の側面を読み取り装置１４により読み込ませると、実施例１は印刷層１１に組み込まれた、特定波長の光を照射することで、機械で読み取り可能となる不可視情報と、ＩＣチップ８の情報が結び合い、暗号が解読され、個体認証がなされ真贋判定ができた。
【００８１】
一方、比較例１は印刷層１１の不可視の暗号化された情報を認識したが、ＩＣチップ８の情報と結び合うことはなく、解読はなされることはなかった。
【００８２】
これらのことから、実施例１の非接触型情報媒体付冊子は、印刷層１１の不可視の暗号化された情報とＩＣチップ８内の情報が紐付けられることで、印刷層１１のみのセキュリティや、ＩＣチップ８のみでのセキュリティよりもさらに高いセキュリティ性が確認でき、さらには迅速かつ正確に偽造品との真贋判定が可能であった。
【００８３】
本発明の非接触型情報媒体付冊子は、側面に不可視の暗号化された情報を施すことができ、さらに搭載しているＩＣチップがその暗号化された情報を解読する鍵の役目をすることで、偽変造品を作製することを困難にさせ未然に防ぐことができるとともに側面に施す印刷層も保護層や接着層と同様の塗工方式を用いることができ作業効率よくセキュリティの高い非接触型情報媒体付冊子を得ることができる。
【００８４】
また、側面から読み取ることのできる不可視情報を印刷した印刷層は、概観を損ねることなくセキュリティを施すことができ、非破壊のまま偽造品かどうかの真贋判定を簡便に行うことが出来る。そのため、パスポートや通帳など耐性およびセキュリティ性を必要とする冊子に対して優れた実用上の効果を発揮する。
【符号の説明】
【００８５】
１００・・・非接触型情報媒体付冊子
１０１・・・表紙
１・・・表紙用部材
２・・・内貼り用紙
３・・・非接触型情報媒体
４・・・本文用紙
５・・・ＩＣインレット
６・・・アンテナシート
７・・・アンテナコイル
８・・・ＩＣチップ
８´・・・ＩＣチップを収納する穴
９・・・基材
１０・・・保護層
１１・・・印刷層
１２・・・接着層
１３・・・接着剤層
１４・・・読み取り装置
１５・・・コンピューター
【図１】
0005919741.tif 000002
【図２】
0005919741.tif 000003
【図３】
0005919741.tif 000004
【図４】
0005919741.tif 000005